(57)【要約】【課題】屋形状の日除けシートを備えた釣船において、日除けシートが釣竿を持って投げ釣するときに邪魔になるときは、巻き取って邪魔にならないようにする。【解決手段】頂部が支柱上端に支持される屋形状の枠３には、頂部に巻胴４が横架され、コイルバネにより一回転方向に付勢されてシート６を巻き取る。シート端には枠３に沿って移動可能な竿８が取り付けられ、竿８には回転軸１３に連結されたワイヤー１５が滑車５を介して連結されている。回転軸１３はモータにより駆動され、該モータにより回転軸１３を正或いは逆方向に回転すると、シート６がコイルバネの作用に抗して巻胴４より引出されるか、或いはコイルバネの作用により巻胴４に巻き取られる。【選択図】図３
0003126413.tif 000002
【実用新案登録請求の範囲】
【請求項１】
屋形状に支持される小型船舶用日除けシートにおいて、頂部に回転可能に横架される巻胴と、該巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正方向に回転するように付勢する付勢手段と、前記巻胴に並設される回転軸と、該回転軸を正或いは逆方向に回転させる作動手段と、前記巻胴及び回転軸の両側にそれぞれ配置し支持される回転可能な滑車と、前記回転軸に各一端が連結されて回転軸の両側に延び、前記滑車に掛けられたのち各他端が前記シートの各他端に連結される索条とよりなることを特徴とする小型船舶用日除けシート。
【請求項２】
屋形状に支持される小型船舶用日除けシートにおいて、頂部に回転可能に横架される巻胴と、該巻胴と同軸をなして巻胴と一体となって回転する回転軸と、前記巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正或いは逆方向に回転させる作動手段と、前記巻胴及び回転軸の両側にそれぞれ配置し支持される回転可能な滑車と、前記回転軸に各一端が連結されて回転軸の両側に延び、前記滑車に掛けられたのち各他端が前記シートの各他端に連結される索条とよりなることを特徴とする小型船舶用日除けシート。
【請求項３】
屋形状に支持される小型船舶用日除けシートにおいて、頂部に回転可能に横架される巻胴と、該巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正或いは逆方向に回転させる作動手段と、前記巻胴の両側に配置される回転可能な回転軸と、一端が該回転軸に連結されると共に、他端が前記シートに連結される索条と、該索条を介して前記シートが巻胴から引出されるように回転軸を正方向に回転するように付勢する付勢手段を有することを特徴とする小型船舶用日除けシート。
【請求項４】
頂部が支柱上端に巻胴と共に支持され、両端に前記滑車を支持する屋形状の枠と、前記巻胴と平行をなして前記シートの他端に取着され、前記枠に案内されて移動可能であり、前記索条が連結される竿を有することを特徴とする請求項１又は２記載の小型船舶用日除けシート。
【考案の詳細な説明】
【技術分野】
【０００１】
本考案は、小型船舶、とりわけ釣船に屋形状に取付けられる日除けシートに関する。
【背景技術】
【０００２】
釣船には、釣人の日除けや釣り人が雨に濡れるのを防ぐため屋形状の日除けシートを取付けたものがある。図１は、屋形状の日除けシート１を取付けた釣船２の概略図を示すもので、日除けシート１は両側で支柱３によって支持されている。
【考案の開示】
【考案が解決しようとする課題】
【０００３】
釣船で魚釣りを行うとき、釣人は通常、船縁で手釣りをするか、或いは釣竿を持って投げ釣りをするが、投げ釣りする際、屋形状の日除けシートがあると、釣竿が当って邪魔になりがちである。
【０００４】
本考案は、屋形状の日除けシートを備えた小型船舶において、日除けシートを巻取り或いは巻戻し可能にして日除けシートが邪魔になるときには、巻取ることができるようにしたものである。
【課題を解決するための手段】
【０００５】
すなわち請求項１に係わる考案は、中央部が支柱によって支持される屋形状の小型船舶用日除けシートにおいて、支柱上端に回転可能に横架される巻胴と、該巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正方向に回転するように付勢する付勢手段と、前記巻胴に並設される回転軸と、該回転軸を正或いは逆方向に回転させる作動手段と、前記巻胴及び回転軸の両側にそれぞれ配置し支持される回転可能な滑車と、前記回転軸に各一端が連結されて回転軸の両側に延び、前記滑車に掛けられたのち各他端が前記シートの各他端に連結されるワイヤー、ロープ等の索条とよりなることを特徴とする。
【０００６】
請求項２に係わる考案は、屋形状に支持される小型船舶用日除けシートにおいて、頂部に回転可能に横架される巻胴と、該巻胴と同軸をなして巻胴と一体となって回転する回転軸と、前記巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正或いは逆方向に回転させる作動手段と、前記巻胴及び回転軸の両側にそれぞれ配置し支持される回転可能な滑車と、前記回転軸に各一端が連結されて回転軸の両側に延び、前記滑車に掛けられたのち各他端が前記シートの各他端に連結される索条とよりなることを特徴とする。
【０００７】
請求項３に係わる考案は、中央部が支柱によって支持される屋形状の小型船舶用日除けシートにおいて、支柱上端に回転可能に横架される巻胴と、該巻胴に各一端が連結されて巻胴の両側より斜め下向きに傾斜して延び、巻胴の正方向の回転により巻き上げられると共に、巻胴の逆方向の回転により巻き戻されるシートと、前記巻胴を正或いは逆方向に回転させる作動手段と、前記巻胴の両側に配置される回転可能な回転軸と、一端が該回転軸に連結されると共に、他端が前記シートに連結されるワイヤー、ロープ等の索条と、該索条を介して前記シートが巻胴から引出されるように回転軸を正方向に回転するように付勢する付勢手段を有することを特徴とする。
【０００８】
上記各考案で用いる巻胴又は回転軸を正方向に回転するように付勢する付勢手段としては、コイルバネが代表的な例として挙げられ、
回転軸の作動手段としては、例えばハンドルを備え、該ハンドルの回動操作によって回転軸を回転させる手動操作手段、或いはモータを備え、該モータの駆動により回転軸を回転させる装置等が挙げられる。
【０００９】
請求項４に係わる考案は、請求項１ないし３に係わる考案において、頂部が支柱上端に巻胴と共に支持され、両端に前記滑車を支持する屋形状の枠と、前記巻胴と平行をなして前記シートの他端に取着され、前記枠に案内されて移動可能であり、前記索条が連結される竿を有することを特徴とする。
【考案の効果】
【００１０】
請求項１に係わる考案によると、作動手段により回転軸を正方向に回転させると、索条が回転軸に巻き取られることによりシートが巻胴から、該巻胴を付勢手段の作用に抗して逆方向に回転させながら引出される一方、回転軸を逆方向に回転させると、索条が回転軸より巻戻されて、巻胴が付勢手段により正方向に回転してシートが巻胴に巻き取られる。これによりシートは展張して日除けシートとして使用したり、邪魔になるときは、必要量巻取り、或いは巻胴に全て巻き取って開放することができる。
【００１１】
請求項２及び３に係わる考案においては、作動手段により巻胴を正或いは逆方向に回転させることにより、請求項１に係わる考案と同様、シートを展張したり、巻き取ったりすることができる。
【００１２】
請求項４に係わる考案によると、シート端に取付けた竿が枠に沿って移動することにより、シートの開閉がスムースに行えるようになる。
【考案を実施するための最良の形態】
【００１３】
図１は、屋形状の日除けシート１を取付けた釣船２の正面図であり、図２は、日除けシート１の拡大図で、両端が支柱７に支持される屋形状の枠３を有し、該枠３の頂部には図３に示す巻胴４が回転可能に横架され、枠３の両端に滑車５が回転可能に支持されている。
【００１４】
巻胴４には、シート６の各一端が連結されて巻胴４の図の時計方向（正方向）の回転によりシート６を巻取り、巻胴４の図の反時計方向（逆方向）の回転によりシート６を巻戻すようになっている。巻胴４にはまた、付勢手段である図示しないコイルバネが設けられており、該コイルバネの作用により、巻胴４が図の時計方向に回転するように付勢されている。
【００１５】
シート６の他端には、竿８が巻胴４と平行に取付けてあり、竿８の前後端には図４に示すように枠３両側の案内溝９に嵌合するコロ１１が取付けられ、コロ１１が案内溝９を転動することにより竿８が枠３に沿って移動するようになっている。
【００１６】
図３において巻胴４に並設される回転軸１３は、減速機付きモータ１４によって回転駆動されるようになっており、索条であるワイヤー１５の各一端が回転軸１３に連結され、各ワイヤー１５は滑車５に掛けられたのち、他端が竿８に連結されている。上述する回転軸１３はモータ１４によって回転駆動する代わりにハンドル操作によって手動で回転させるようにすることもできる。
【００１７】
本実施形態の日除けシート１によると、日照りや雨降りで日除けシート１を必要とするときは、モータ１４を起動し、回転軸１３を正方向に回転駆動してワイヤー１５を回転軸１３に巻取る。これに伴い竿８が枠３に沿い、枠端に向って移動し、シート１が巻胴４より引出される。シート１の引出しは、竿８が滑車５に達するまで行われ、滑車５に達した状態で展張される。
【００１８】
釣竿を持って投げ釣する際、日除けシート１が邪魔になるときは、モータ１４により回転軸１３を逆方向に回転駆動してワイヤー１５の巻き戻しを行う。これによりシート１がコイルバネの作用によりワイヤー１５を引張りながら巻胴４に巻き取られる。シート１の巻取りは投げ釣の邪魔にならない程度まで行われ、全て巻胴に巻き取ることも可能である。日除けシート１は、以上のようにモータ１４の駆動により自動的に開閉される。
【００１９】
上記実施形態では、巻胴４は回転軸１３とは独立し、コイルバネによって時計方向に付勢されるようになっているが、図５に示す実施形態では、回転軸１３は巻胴４と同軸で、モータ１４により一体となって回転するようになっている。この回転軸１３は、前記実施形態と同様、モータ１４に代えてハンドル操作により手動で回転させるようにすることもできる。
本実施形態では、図３に示す装置と同様、回転軸１３に連結されるワイヤー１５は滑車５に掛けられ、巻胴４に連結されるシート６と連結されている。
【００２０】
本実施形態の日除けシートによると、モータを駆動し、或いはハンドルを回動操作することにより回転軸１３を巻胴４と一体となって図３の時計方向に回動させると、シート６が巻胴４に巻き取られると共に、回転軸１３に巻き取られたワイヤー１５が巻き戻され、逆に回転軸１３を巻胴４と共に図３の反時計方向に回動させると、巻胴４に巻き取られたシート６が引き出されると共に、ワイヤー１５が回転軸１３に巻き取られる。
本実施形態によると、巻胴４を回転軸１３に一体となって回転するように連結することにより、巻胴を時計方向に回転するように付勢する前述のコイルバネを省くことができる。
【００２１】
図６は、日除けシートの別の態様を示すもので、巻胴２１が図示しないモータにより、或いはハンドルの回動操作により正或いは逆方向に回転するようになっており、屋形状の枠３の両端の支柱７に横架される回転軸２２にはそれぞれ、索条としてのワイヤー２５が巻き取られると共に該回転軸２２を一回転方向に付勢するコイルバネ（図示しない）が設けられている。巻胴２１に一端を連結したシート２３には他端に竿２４が巻胴２１と平行に取付けてあり、竿２４と回転軸２２とが回転軸２２より繰り出される上記ワイヤー２５により連結されている。
【００２２】
本実施形態の日除けシートによると、モータを駆動し、或いはハンドルを回動操作することにより巻胴２１を時計方向（正方向）に回転させると、シート２３がコイルバネの作用に抗して回転軸２２を逆方向（反時計方向）に回転させながらワイヤー２５をコイルバネの作用に抗して回転軸２２より引出し、シート２３を巻胴に巻き取る。シート２３を展張して閉じるときには、巻胴２１を上記とは逆向きに回転させる。これによりワイヤー２５がコイルバネの作用により巻き取られ、シート２３が巻胴２１より引出される。
【図面の簡単な説明】
【００２３】
【図１】屋形状の日よけシートを取付けた釣船の正面図。
【図２】図１に示す日除けシートの拡大図。
【図３】日除けシートを開閉させる装置の模式図。
【図４】竿と枠の関係を示す図。
【図５】日除けシートの要部の側面図。
【図６】日除けシートを開閉させる装置の別の態様の模式図。
【符号の説明】
【００２４】
１、２３・・日除けシート
２・・釣船
３・・枠
４、２１・・巻胴
５・・滑車
６・・シート
７・・支柱
８、２４・・竿
９・・案内溝
１１・・コロ
１３、２２・・回転軸
１４・・減速機付きモータ
１５、２５・・ワイヤー
【図１】
0003126413.tif 000003
【図２】
0003126413.tif 000004
【図３】
0003126413.tif 000005
【図４】
0003126413.tif 000006
【図５】
0003126413.tif 000007
【図６】
0003126413.tif 000008